(57)【要約】【課題】第１および第２の電子ビューファインダを使用していない場合であっても、撮像装置の起動状態を確認することができるようにする。【解決手段】撮像装置は、第１の電子ビューファインダと、第１の電子ビューファインダに近づいた物体を検出する第１の検出手段とを有する第１の表示部と、第２の電子ビューファインダと、第２の電子ビューファインダに近づいた物体を検出する第２の検出手段とを有する第２の表示部と、第１の電子ビューファインダが非表示状態であり、第２の電子ビューファインダが表示状態であり、第１の検出手段と物体との間の距離が第１の閾値以上である場合に、第２の検出手段と物体との間の距離が第２の閾値以上になった場合には、第２の電子ビューファインダを所定時間が経過するまで表示状態で動作させるようにする制御手段とを有する。【選択図】図１
2019041203.tif 000002
【特許請求の範囲】
【請求項１】
第１の電子ビューファインダと、前記第１の電子ビューファインダに近づいた物体を検出する第１の検出手段とを有する第１の表示部と、
第２の電子ビューファインダと、前記第２の電子ビューファインダに近づいた物体を検出する第２の検出手段とを有する第２の表示部と、
前記第１の電子ビューファインダが非表示状態であり、前記第２の電子ビューファインダが表示状態であり、前記第１の検出手段と物体との間の距離が第１の閾値以上である場合に、前記第２の検出手段と物体との間の距離が第２の閾値以上になった場合には、前記第２の電子ビューファインダを所定時間が経過するまで表示状態で動作させるようにする制御手段と
を有することを特徴とする撮像装置。
【請求項２】
前記制御手段は、前記第１の電子ビューファインダが非表示状態であり、前記第２の電子ビューファインダが表示状態であり、前記第１の検出手段と物体との間の距離が前記第１の閾値以上である場合に、前記第２の検出手段と物体との間の距離が前記第２の閾値以上になった場合には、前記第２の電子ビューファインダの表示パネルの輝度を前記所定時間が経過するまで維持させるための制御を行うことを特徴とする請求項１に記載の撮像装置。
【請求項３】
前記制御手段は、前記第１の電子ビューファインダが非表示状態であり、前記第２の電子ビューファインダが表示状態であり、前記第１の検出手段と物体との間の距離が前記第１の閾値以上である場合に、前記第２の検出手段と物体との間の距離が前記第２の閾値以上になった場合には、前記所定時間が経過した後、前記第２の電子ビューファインダの表示パネルの輝度を低減させるための制御を行うことを特徴とする請求項１または２に記載の撮像装置。
【請求項４】
前記制御手段は、前記第１の電子ビューファインダが非表示状態であり、前記第２の電子ビューファインダが表示状態であり、前記第１の検出手段と物体との間の距離が前記第１の閾値以上である場合に、前記第２の検出手段と物体との間の距離が前記第２の閾値以上になった場合には、前記所定時間よりも長い時間が経過した後、前記第２の電子ビューファインダを非表示状態にすることを特徴とする請求項１から３のいずれか１項に記載の撮像装置。
【請求項５】
前記制御手段は、前記第１の電子ビューファインダが表示状態であり、前記第２の電子ビューファインダが非表示状態であり、前記第２の検出手段と物体との間の距離が前記第２の閾値以上である場合に、前記第１の検出手段と物体との間の距離が前記第１の閾値以上になった場合には、前記第１の電子ビューファインダを前記所定時間が経過するまで表示状態で動作させるようにすることを特徴とする請求項１から４のいずれか１項に記載の撮像装置。
【請求項６】
前記制御手段は、前記第１の電子ビューファインダが表示状態であり、前記第２の電子ビューファインダが非表示状態であり、前記第２の検出手段と物体との間の距離が前記第２の閾値以上である場合に、前記第１の検出手段と物体との間の距離が前記第１の閾値以上になった場合には、前記第１の電子ビューファインダの表示パネルの輝度を前記所定時間が経過するまで維持させるための制御を行うことを特徴とする請求項５に記載の撮像装置。
【請求項７】
前記制御手段は、前記第１の電子ビューファインダが表示状態であり、前記第２の電子ビューファインダが非表示状態であり、前記第２の検出手段と物体との間の距離が前記第２の閾値以上である場合に、前記第１の検出手段と物体との間の距離が前記第１の閾値以上になった場合には、前記所定時間が経過した後、前記第１の電子ビューファインダの表示パネルの輝度を低減させるための制御を行うことを特徴とする請求項５または６に記載の撮像装置。
【請求項８】
前記制御手段は、前記第１の電子ビューファインダが表示状態であり、前記第２の電子ビューファインダが非表示状態であり、前記第２の検出手段と物体との間の距離が前記第２の閾値以上である場合に、前記第１の検出手段と物体との間の距離が前記第１の閾値以上になった場合には、前記所定時間よりも長い時間が経過した後、前記第１の電子ビューファインダを非表示状態にすることを特徴とする請求項５から７のいずれか１項に記載の撮像装置。
【請求項９】
前記制御手段は、前記第１の電子ビューファインダが表示状態であり、前記第２の電子ビューファインダが表示状態である場合に、前記第１の検出手段と物体との間の距離が前記第１の閾値以上になると共に前記第２の検出手段と物体との間の距離が前記第２の閾値以上になった場合には、前記第１の電子ビューファインダを非表示状態にすると共に前記第２の電子ビューファインダを前記所定時間が経過するまで表示状態で動作させるようにすることを特徴とする請求項１から８のいずれか１項に記載の撮像装置。
【請求項１０】
前記制御手段は、前記第１の電子ビューファインダが表示状態であり、前記第２の電子ビューファインダが表示状態である場合に、前記第１の検出手段と物体との間の距離が前記第１の閾値以上になると共に前記第２の検出手段と物体との間の距離が前記第２の閾値以上になった場合には、前記第２の電子ビューファインダの表示パネルの輝度を前記所定時間が経過するまで維持させるための制御を行うことを特徴とする請求項９に記載の撮像装置。
【請求項１１】
前記制御手段は、前記第１の電子ビューファインダが表示状態であり、前記第２の電子ビューファインダが表示状態である場合に、前記第１の検出手段と物体との間の距離が前記第１の閾値以上になると共に前記第２の検出手段と物体との間の距離が前記第２の閾値以上になった場合には、前記所定時間が経過した後、前記第２の電子ビューファインダの表示パネルの輝度を低減させるための制御を行うことを特徴とする請求項９または１０に記載の撮像装置。
【請求項１２】
前記制御手段は、前記第１の電子ビューファインダが表示状態であり、前記第２の電子ビューファインダが表示状態である場合に、前記第１の検出手段と物体との間の距離が前記第１の閾値以上になると共に前記第２の検出手段と物体との間の距離が前記第２の閾値以上になった場合には、前記所定時間よりも長い時間が経過した後、前記第２の電子ビューファインダを非表示状態にすることを特徴とする請求項９から１１のいずれか１項に記載の撮像装置。
【請求項１３】
前記制御手段は、前記撮像装置が電源オン状態にされた場合に、前記第１の電子ビューファインダおよび前記第２の電子ビューファインダを表示状態にすることを特徴とする請求項１から１２のいずれか１項に記載の撮像装置。
【請求項１４】
第１の電子ビューファインダと、前記第１の電子ビューファインダに近づいた物体を検出する第１の検出手段とを有する第１の表示部と、第２の電子ビューファインダと、前記第２の電子ビューファインダに近づいた物体を検出する第２の検出手段とを有する第２の表示部とを有する撮像装置の制御方法であって、
前記第１の電子ビューファインダを表示状態にすると共に前記第２の電子ビューファインダを表示状態にするステップと、
前記第１の電子ビューファインダを非表示状態にするステップと、
前記第１の電子ビューファインダが非表示状態であり、前記第２の電子ビューファインダが表示状態であり、前記第１の検出手段と物体との間の距離が第１の閾値以上である場合に、前記第２の検出手段と物体との間の距離が第２の閾値以上になった場合には、前記第２の電子ビューファインダを所定時間が経過するまで表示状態で動作させるようにするステップと
を有することを特徴とする制御方法。
【請求項１５】
コンピュータを、
第１の電子ビューファインダと、前記第１の電子ビューファインダに近づいた物体を検出する第１の検出手段とを有する第１の表示部と、
第２の電子ビューファインダと、前記第２の電子ビューファインダに近づいた物体を検出する第２の検出手段とを有する第２の表示部と、
前記第１の電子ビューファインダが非表示状態であり、前記第２の電子ビューファインダが表示状態であり、前記第１の検出手段と物体との間の距離が第１の閾値以上である場合に、前記第２の検出手段と物体との間の距離が第２の閾値以上になった場合には、前記第２の電子ビューファインダを所定時間が経過するまで表示状態で動作させるようにする制御手段
として機能させるためのプログラム。
【発明の詳細な説明】
【技術分野】
【０００１】
本発明は、撮像装置およびその制御方法並びにそれらに関するプログラムに関する。
【背景技術】
【０００２】
特許文献１には、ユーザが画像を確認するための電子ビューファインダと、画像の視認性を向上させるための大型画像表示モニタと、電子ビューファインダの接眼検出手段とを有する撮像装置が記載されている。接眼検出手段がユーザの接眼を検出したとき、撮像装置は、電子ビューファインダを駆動させ、大型画像表示モニタの駆動を停止させる。接眼検出手段がユーザの接眼を検出しないとき、撮像装置は、電子ビューファインダの駆動を停止させ、大型画像表示モニタを駆動させる。
【０００３】
特許文献２には、電子ビューファインダと可動式液晶モニタと接眼検出手段と、可動式液晶モニタが非格納状態にあるときは、接眼検出手段が接眼を検出しても電子ビューファインダに画像を表示させないようにする制御手段とを有する撮像装置が記載されている。
【先行技術文献】
【特許文献】
【０００４】
【特許文献１】特開平１０−４５０９号公報
【特許文献２】特開２０１１−７１９７１号公報
【発明の概要】
【発明が解決しようとする課題】
【０００５】
しかし、電子ビューファインダの駆動が停止すると、ユーザは、電子ビューファインダの接続状態が悪いと誤解したり、離れた位置から撮像装置の起動状態を確認したりすることが困難である。さらに、特許文献１および２は、２つの電子ビューファインダを有する撮像装置の制御方法を記載していない。
【０００６】
そこで、本発明は、第１および第２の電子ビューファインダを使用していない場合であっても、撮像装置の起動状態を確認することができるようにすることを目的とする。
【課題を解決するための手段】
【０００７】
本発明に係る撮像装置は、第１の電子ビューファインダと、前記第１の電子ビューファインダに近づいた物体を検出する第１の検出手段とを有する第１の表示部と、第２の電子ビューファインダと、前記第２の電子ビューファインダに近づいた物体を検出する第２の検出手段とを有する第２の表示部と、前記第１の電子ビューファインダが非表示状態であり、前記第２の電子ビューファインダが表示状態であり、前記第１の検出手段と物体との間の距離が第１の閾値以上である場合に、前記第２の検出手段と物体との間の距離が第２の閾値以上になった場合には、前記第２の電子ビューファインダを所定時間が経過するまで表示状態で動作させるようにする制御手段とを有する。
【０００８】
本発明に係る制御方法は、第１の電子ビューファインダと、前記第１の電子ビューファインダに近づいた物体を検出する第１の検出手段とを有する第１の表示部と、第２の電子ビューファインダと、前記第２の電子ビューファインダに近づいた物体を検出する第２の検出手段とを有する第２の表示部とを有する撮像装置の制御方法であって、前記第１の電子ビューファインダを表示状態にすると共に前記第２の電子ビューファインダを表示状態にするステップと、前記第１の電子ビューファインダを非表示状態にするステップと、前記第１の電子ビューファインダが非表示状態であり、前記第２の電子ビューファインダが表示状態であり、前記第１の検出手段と物体との間の距離が第１の閾値以上である場合に、前記第２の検出手段と物体との間の距離が第２の閾値以上になった場合には、前記第２の電子ビューファインダを所定時間が経過するまで表示状態で動作させるようにするステップとを有する。
【０００９】
本発明に係るプログラムは、コンピュータを、第１の電子ビューファインダと、前記第１の電子ビューファインダに近づいた物体を検出する第１の検出手段とを有する第１の表示部と、第２の電子ビューファインダと、前記第２の電子ビューファインダに近づいた物体を検出する第２の検出手段とを有する第２の表示部と、前記第１の電子ビューファインダが非表示状態であり、前記第２の電子ビューファインダが表示状態であり、前記第１の検出手段と物体との間の距離が第１の閾値以上である場合に、前記第２の検出手段と物体との間の距離が第２の閾値以上になった場合には、前記第２の電子ビューファインダを所定時間が経過するまで表示状態で動作させるようにする制御手段として機能させるためのプログラムである。
【発明の効果】
【００１０】
本発明によれば、第１および第２の電子ビューファインダを使用していない場合であっても、撮像装置の起動状態を確認することができる。
【図面の簡単な説明】
【００１１】
【図１】実施形態１における撮像装置１００の構成要素を説明するための図である。
【図２】電子ビューファインダと接眼センサの位置関係を説明するための図である。
【図３】撮像装置１００の動作例を説明するためのフローチャートである。
【図４】近接距離の閾値を説明するための図である。
【発明を実施するための形態】
【００１２】
以下、図面を参照して本発明の実施形態を説明する。ただし、本発明は以下の実施形態に限定されるものではない。
【００１３】
［実施形態１］
図１は、実施形態１における撮像装置１００の構成要素を説明するためのブロック図である。
【００１４】
図１に示すように、撮像装置１００は、撮像部１０１、デジタル信号処理部１０２、操作部１０３、タイマ部１０４、電源スイッチ部１０５、ＥＶＦ制御部１０６、システム制御部１０７、メモリ部１０８、第１の表示部１０９および第２の表示部１１２を有する。撮像装置１００は、さらに、撮像装置１００を動作させるための電源（バッテリなど）などを有する。第１の表示部１０９および第２の表示部１１２は、例えば、撮像装置１００から取り外し可能である。第１の表示部１０９は、撮像装置１００の第１の接続部にケーブルを介することなく接続される表示装置である。第２の表示部１１２は、撮像装置１００の第２の接続部にケーブルを介して接続される。
【００１５】
第１の表示部１０９は、ＥＶＦ１１０および接眼センサ部１１１を有し、撮像装置１００からの撮像画像データまたは再生画像データを表示するＥＶＦ装置として機能する。接眼センサ部１１１は、ＥＶＦ１１０に対応して設けられる。第１の表示部１０９を動作させるための電力は、撮像装置１００の電源（バッテリなど）から供給される。ＥＶＦ１１０は、接眼部を有し、撮像画像データまたは再生画像データを表示する。ユーザは、ＥＶＦ１１０の接眼部に接眼することにより、ＥＶＦ１１０に表示される画像を確認することができる。接眼センサ部１１１は、図２（Ａ）に示すように、ＥＶＦ１１０の近傍に設置され、接眼センサ部１１１と物体（ユーザを含む）との間の距離に応じた電圧を検出することにより、ＥＶＦ１１０の接眼部に対するユーザの接眼を検出することができる。
【００１６】
ＥＶＦ１１０は、撮像装置１００からの撮像画像データまたは再生画像データを表示する表示パネル（例：有機ＥＬ表示パネルまたは液晶表示パネル）を有する電子ビューファインダである。接眼センサ部１１１は、ＥＶＦ１１０に近づいた物体（ユーザを含む）を検出するセンサとして機能する。接眼センサ部１１１は、赤外発光素子および受光素子を有する。赤外発光素子は、赤外発光レンズ窓より所定の光量の赤外光を照射する。その赤外光は、物体（ユーザを含む）で反射する。受光素子は、その反射分散した赤外光を受光レンズ窓により集光し、光電変換し、電圧を出力する。接眼センサ部１１１は、受光素子の電圧をシステム制御部１０７に出力する。システム制御部１０７は、接眼センサ部１１１の出力電圧を基に、接眼センサ部１１１の接眼距離（接眼センサ部１１１と物体（ユーザを含む）との間の距離に相当）を計算する。システム制御部１０７は、接眼センサ部１１１の接眼距離と閾値Ｔｈとを比較する。
【００１７】
第２の表示部１１２は、ＥＶＦ１１３および接眼センサ部１１４を有し、撮像装置１００からの撮像画像データまたは再生画像データを表示するＥＶＦ装置として機能する。接眼センサ部１１４は、ＥＶＦ１１３に対応して設けられる。第２の表示部１１２を動作させるための電力は、撮像装置１００の電源（バッテリなど）から供給される。ＥＶＦ１１３は、接眼部を有し、撮像画像データまたは再生画像データを表示する。ユーザは、ＥＶＦ１１３の接眼部に接眼することにより、ＥＶＦ１１３に表示される画像を確認することができる。接眼センサ部１１４は、図２（Ｂ）に示すように、ＥＶＦ１１３の近傍に設置され、接眼センサ部１１４と物体（ユーザを含む）との間の距離に応じた電圧を検出することにより、ＥＶＦ１１３の接眼部に対するユーザの接眼を検出することができる。
【００１８】
ＥＶＦ１１３は、撮像装置１００からの撮像画像データまたは再生画像データを表示する表示パネル（例：有機ＥＬ表示パネルまたは液晶表示パネル）を有する電子ビューファインダである。接眼センサ部１１４は、ＥＶＦ１１３に近づいた物体（ユーザを含む）を検出するセンサとして機能する。接眼センサ部１１４は、赤外発光素子および受光素子を有する。赤外発光素子は、赤外発光レンズ窓より所定の光量の赤外光を照射する。その赤外光は、物体（ユーザを含む）で反射する。受光素子は、その反射分散した赤外光を受光レンズ窓により集光し、光電変換し、電圧を出力する。接眼センサ部１１４は、受光素子の電圧をシステム制御部１０７に出力する。システム制御部１０７は、接眼センサ部１１４の出力電圧を基に、接眼センサ部１１４の接眼距離（接眼センサ部１１４と物体（ユーザを含む）との間の距離に相当）を計算する。システム制御部１０７は、接眼センサ部１１４の接眼距離と閾値Ｔｈとを比較する。
【００１９】
撮像部１０１は、光学像を電気信号に変換する撮像素子と、撮像素子により生成された電気信号をデジタルデータに変換するＡ／Ｄ変換部とを有し、デジタルデータを生成する。デジタル信号処理部１０２は、撮像部１０１により生成されたデジタルデータに対して、所定の画像処理（画素補間、リサイズ処理または色変換処理）を行うことにより、画像データを生成する。また、デジタル信号処理部１０２は、撮像部１０１により生成されたデジタルデータを用いて所定の演算処理を行い、所定の演算処理により得られた演算結果をシステム制御部１０７に供給する。システム制御部１０７は、デジタル信号処理部１０２により供給された演算結果に基づいて露光制御および測距制御を行う。これにより、撮像装置１００では、ＴＴＬ（スルー・ザ・レンズ）方式のＡＦ（オートフォーカス）処理、ＡＥ（自動露出）処理およびＥＦ（フラッシュプリ発光）処理が行われる。
【００２０】
操作部１０３は、メニューボタン、上下左右の４方向ボタン、ＳＥＴボタン等の複数のボタンを有する。メニューボタンが押されると、各種の設定可能なメニュー画面が第１の表示部１０９および第２の表示部１１２に表示される。ユーザは、第１の表示部１０９および第２の表示部１１２に表示されたメニュー画面の項目を、上下左右の４方向ボタンにより選択し、ＳＥＴボタンを用いて決定できる。なお、操作部１０３は、タッチパネルであってもよい。タッチパネルは、抵抗膜方式、静電容量方式、表面弾性波方式、赤外線方式、電磁誘導方式、画像認識方式、光センサ方式等の様々な方式のタッチパネルのうちいずれの方式でもよい。
【００２１】
システム制御部１０７は、接眼センサ部１１１の接眼距離が閾値Ｔｈを下回るか否かを示す情報をタイマ部１０４に出力する。タイマ部１０４は、接眼センサ部１１１の接眼距離が閾値Ｔｈを下回るか否かを示す情報を基に、接眼センサ部１１１の接眼距離が閾値Ｔｈ以上である時間を、接眼センサ部１１１の接眼無検出時間として測定する。そして、タイマ部１０４は、その測定した接眼センサ部１１１の接眼無検出時間をシステム制御部１０７に出力する。
【００２２】
同様に、システム制御部１０７は、接眼センサ部１１４の接眼距離が閾値Ｔｈを下回るか否かを示す情報をタイマ部１０４に出力する。タイマ部１０４は、接眼センサ部１１４の接眼距離が閾値Ｔｈを下回るか否かを示す情報を基に、接眼センサ部１１４の接眼距離が閾値Ｔｈ以上である時間を、接眼センサ部１１４の接眼無検出時間として測定する。そして、タイマ部１０４は、その測定した接眼センサ部１１４の接眼無検出時間をシステム制御部１０７に出力する。
【００２３】
電源スイッチ部１０５は、電源スイッチ部１０５がオンされているかを検出し、その検出結果をシステム制御部１０７に出力する。電源スイッチ部１０５は、例えばメカスイッチを有する。
【００２４】
システム制御部１０７は、ＥＶＦ１１０およびＥＶＦ１１３の各々を点灯または消灯させる情報と、ＥＶＦ１１０およびＥＶＦ１１３の各々の輝度設定値とをＥＶＦ制御部１０６に出力する。ＥＶＦ制御部１０６は、ＥＶＦ１１０を点灯または消灯させる情報とＥＶＦ１１０の輝度設定値とを基に、ＥＶＦ１１０を制御する。同様に、ＥＶＦ制御部１０６は、ＥＶＦ１１３を点灯または消灯させる情報とＥＶＦ１１３の輝度設定値とを基に、ＥＶＦ１１３を制御する。
【００２５】
システム制御部１０７は、メモリおよびプロセッサを有する。メモリは、撮像装置１００、第１の表示部１０９および第２の表示部１１２の各構成要素を制御するためのプログラムを記憶する。プロセッサは、そのメモリに記憶されたプログラムを実行することにより、撮像装置１００、第１の表示部１０９および第２の表示部１１２の各構成要素を制御する。
【００２６】
システム制御部１０７は、接眼センサ部１１１の接眼無検出時間が３０秒以上である場合には、メモリ部１０８から低輝度設定値を読み出し、その低輝度設定値をＥＶＦ１１０の輝度設定値としてＥＶＦ制御部１０６に出力する。また、システム制御部１０７は、接眼センサ部１１１の接眼無検出時間が３００秒以上である場合には、ＥＶＦ１１０を消灯させる情報をＥＶＦ制御部１０６に出力する。
【００２７】
また、システム制御部１０７は、接眼センサ部１１１の接眼距離が閾値Ｔｈを下回る場合には、タイマ部１０４が測定している接眼センサ部１１１の接眼無検出時間をリセットし、メモリ部１０８から通常輝度設定値を読み出す。そして、システム制御部１０７は、その通常輝度設定値でＥＶＦ１１０を点灯させる情報をＥＶＦ制御部１０６に出力する。
【００２８】
同様に、システム制御部１０７は、接眼センサ部１１４の接眼無検出時間が３０秒以上である場合には、メモリ部１０８から低輝度設定値を読み出し、その低輝度設定値をＥＶＦ１１３の輝度設定値としてＥＶＦ制御部１０６に出力する。また、システム制御部１０７は、接眼センサ部１１４の接眼無検出時間が３００秒以上である場合には、ＥＶＦ１１３を消灯させる情報をＥＶＦ制御部１０６に出力する。
【００２９】
また、システム制御部１０７は、接眼センサ部１１４の接眼距離が閾値Ｔｈを下回る場合には、タイマ部１０４が測定している接眼センサ部１１４の接眼無検出時間をリセットし、メモリ部１０８から通常輝度設定値を読み出す。そして、システム制御部１０７は、その通常輝度設定値でＥＶＦ１１３を点灯させる情報をＥＶＦ制御部１０６に出力する。
【００３０】
メモリ部１０８は、例えばフラッシュメモリであり、通常輝度設定値および低輝度設定値を記憶する。通常輝度設定値は、ＥＶＦ１１０またはＥＶＦ１１３を通常点灯させる際の輝度設定値である。低輝度設定値は、接眼センサ部１１１または１１４の接眼無検出時間が３０秒以上である場合に、ＥＶＦ１１０またはＥＶＦ１１３の輝度を下げるための輝度設定値である。低輝度設定値は、ユーザがＥＶＦ１１０およびＥＶＦ１１３を使用していない場合に、遠くから撮像装置１００の起動状態が分かる程度のＥＶＦ１１０またはＥＶＦ１１３の輝度設定値である。例えば、低輝度設定値は、通常輝度設定値の約半分の明るさである。
【００３１】
ユーザがＥＶＦ１１０を覗きこんだ場合、ＥＶＦ１１０は通常輝度で点灯する。ユーザがＥＶＦ１１０を覗きこんでいない場合、ＥＶＦ１１０は、接眼センサ部１１１の接眼無検出時間に応じて低輝度で点灯または消灯する。
【００３２】
同様に、ユーザがＥＶＦ１１３を覗きこんだ場合、ＥＶＦ１１３は通常輝度で点灯する。ユーザがＥＶＦ１１３を覗きこんでいない場合、ＥＶＦ１１３は、接眼センサ部１１４の接眼無検出時間に応じて低輝度で点灯または消灯する。
【００３３】
図３は、撮像装置１００の動作例を説明するためのフローチャートである。以下、撮像装置１００のＥＶＦ１１０およびＥＶＦ１１３の輝度低下制御方法および消灯制御方法を説明する。
【００３４】
電源スイッチ部１０５がオンにされると、ステップＳ３０１において、システム制御部１０７は、撮像装置１００を起動させる。ステップＳ３０２において、システム制御部１０７は、メモリ部１０８から通常輝度設定値を読み出し、通常輝度設定値をＥＶＦ１１０およびＥＶＦ１１３の輝度設定値としてＥＶＦ制御部１０６に出力する。ＥＶＦ制御部１０６は、通常輝度設定値を基に、ＥＶＦ１１０およびＥＶＦ１１３を通常輝度で点灯させる。以上のように、システム制御部１０７は、電源スイッチ部１０５がオンされた場合（電源オン状態）、ＥＶＦ１１０およびＥＶＦ１１３を表示状態にする。なお、ＥＶＦ制御部１０６は、ＥＶＦ１１０およびＥＶＦ１１３を共に通常輝度で点灯させるが、ＥＶＦ１１０およびＥＶＦ１１３を共に低輝度で点灯させてもよいし、ＥＶＦ１１０およびＥＶＦ１１３のどちらか一方を点灯させてもよい。
【００３５】
ステップＳ３０３において、システム制御部１０７は、接眼センサ部１１１の接眼距離が閾値Ｔｈを下回るか否かを判定する。図４は、閾値Ｔｈの例を説明するための図である。接眼距離は、接眼センサ部１１１と物体（ユーザを含む）との間の距離であり、接眼センサ部１１１の出力電圧を基に計算される。閾値Ｔｈは、例えば、７．５ｃｍを示す。システム制御部１０７は、接眼センサ部１１１の接眼距離が閾値Ｔｈを下回らない場合には、ステップＳ３０４に進み、接眼センサ部１１１の接眼距離が閾値Ｔｈを下回る場合には、ステップＳ３０６に進む。
【００３６】
ステップＳ３０４において、システム制御部１０７は、接眼センサ部１１４の接眼距離が閾値Ｔｈを下回るか否かを判定する。システム制御部１０７は、接眼センサ部１１４の接眼距離が閾値Ｔｈを下回らない場合には、ステップＳ３０３に戻り、接眼センサ部１１４の接眼距離が閾値Ｔｈを下回る場合には、ステップＳ３０５に進む。
【００３７】
ステップＳ３０５において、システム制御部１０７は、ステップＳ３０４の判定によりＥＶＦ１１３の接眼を検出し、ステップＳ３０３の判定によりＥＶＦ１１０の接眼を検出していない。そのため、ＥＶＦ制御部１０６は、システム制御部１０７の制御の下、ＥＶＦ１１３を通常輝度で点灯させると共にＥＶＦ１１０を消灯させる。システム制御部１０７は、タイマ部１０４が測定している接眼センサ部１１４の接眼無検出時間をリセットし、ステップＳ３０９に進む。以上のように、システム制御部１０７は、接眼センサ部１１１の接眼距離が閾値Ｔｈ以上である場合に、接眼センサ部１１４の接眼距離が閾値Ｔｈを下回る場合には、ＥＶＦ１１０を非表示状態にすると共にＥＶＦ１１３を表示状態にする。
【００３８】
ステップＳ３０９において、システム制御部１０７は、接眼センサ部１１１の接眼距離および接眼センサ部１１４の接眼距離の少なくとも一つが閾値Ｔｈを下回るか否かを判定する。システム制御部１０７は、接眼センサ部１１１および１１４の接眼距離の少なくとも一つが閾値Ｔｈを下回る場合（ＥＶＦ１１０またはＥＶＦ１１３が接眼されている場合）には、ステップＳ３０３に戻る。システム制御部１０７は、接眼センサ部１１１および１１４の接眼距離のいずれもが閾値Ｔｈ以上である場合（ＥＶＦ１１０およびＥＶＦ１１３が共に接眼されていない場合）には、ステップＳ３１０に進む。
【００３９】
ステップＳ３１０において、システム制御部１０７は、タイマ部１０４から接眼センサ部１１４の接眼無検出時間を入力し、接眼センサ部１１４の接眼無検出時間が第１の時間（例えば３０秒）以上であるか否かを判定する。システム制御部１０７は、接眼センサ部１１４の接眼無検出時間が第１の時間（所定時間）以上である場合には、ステップＳ３１１に進み、接眼センサ部１１４の接眼無検出時間が第１の時間以上でない場合には、ステップＳ３０９に戻る。
【００４０】
ステップＳ３１１において、システム制御部１０７は、メモリ部１０８から低輝度設定値を読み出し、低輝度設定値をＥＶＦ１１３の輝度設定値としてＥＶＦ制御部１０６に出力する。ＥＶＦ制御部１０６は、低輝度設定値を基に、ＥＶＦ１１３を低輝度で点灯させる。
【００４１】
ステップＳ３１２において、システム制御部１０７は、タイマ部１０４から接眼センサ部１１４の接眼無検出時間を入力し、接眼センサ部１１４の接眼無検出時間が第１の時間よりも長い第２の時間（例えば３００秒）以上であるか否かを判定する。システム制御部１０７は、接眼センサ部１１４の接眼無検出時間が第２の時間以上である場合には、ステップＳ３１３に進み、接眼センサ部１１４の接眼無検出時間が第２の時間以上でない場合には、ステップＳ３０９に戻る。
【００４２】
ステップＳ３１３において、ＥＶＦ制御部１０６は、システム制御部１０７の制御の下、ＥＶＦ１１３を消灯させる。
【００４３】
以上のように、ステップＳ３０９において、システム制御部１０７は、接眼センサ部１１１の接眼距離が閾値Ｔｈ以上である場合に、接眼センサ部１１４の接眼距離が閾値Ｔｈ以上である場合には、ステップＳ３１０に進む。その場合、システム制御部１０７は、ＥＶＦ１１３の表示パネルの輝度を維持する。そして、システム制御部１０７は、接眼センサ部１１４の接眼無検出時間が第１の時間経過後、ステップＳ３１１において、ＥＶＦ１１３の表示パネルの輝度を低減させる。そして、システム制御部１０７は、接眼センサ部１１４の接眼無検出時間が第２の時間経過後、ステップＳ３１３において、ＥＶＦ１１３を非表示状態にする。
【００４４】
ステップＳ３１４において、システム制御部１０７は、接眼センサ部１１１および１１４の接眼距離の少なくとも一つが閾値Ｔｈを下回るか否かを判定する。システム制御部１０７は、接眼センサ部１１１および１１４の接眼距離のいずれもが閾値Ｔｈ以上である場合（ＥＶＦ１１０およびＥＶＦ１１３が共に接眼されていない場合）には、ステップＳ３２８に進む。システム制御部１０７は、接眼センサ部１１１および１１４の接眼距離の少なくとも一つが閾値Ｔｈを下回る場合（ＥＶＦ１１０またはＥＶＦ１１３が接眼されている場合）には、ステップＳ３０３に戻る。
【００４５】
ステップＳ３０６において、システム制御部１０７は、接眼センサ部１１４の接眼距離が閾値Ｔｈを下回るか否かを判定する。システム制御部１０７は、接眼センサ部１１４の接眼距離が閾値Ｔｈを下回らない場合には、ステップＳ３０７に進み、接眼センサ部１１４の接眼距離が閾値Ｔｈを下回る場合には、ステップＳ３０８に進む。
【００４６】
ステップＳ３０７において、システム制御部１０７は、ステップＳ３０３の判定によりＥＶＦ１１０の接眼を検出し、ステップＳ３０６の判定によりＥＶＦ１１３の接眼を検出していない。そのため、ＥＶＦ制御部１０６は、システム制御部１０７の制御の下、ＥＶＦ１１０を通常輝度で点灯させると共にＥＶＦ１１３を消灯させる。システム制御部１０７は、タイマ部１０４が測定している接眼センサ部１１１の接眼無検出時間をリセットし、ステップＳ３１５に進む。以上のように、システム制御部１０７は、接眼センサ部１１１の接眼距離が閾値Ｔｈを下回る場合に、接眼センサ部１１４の接眼距離が閾値Ｔｈ以上である場合には、ＥＶＦ１１０を表示状態にすると共にＥＶＦ１１３を非表示状態にする。
【００４７】
ステップＳ３１５において、システム制御部１０７は、接眼センサ部１１１および１１４の接眼距離の少なくとも一つが閾値Ｔｈを下回るか否かを判定する。システム制御部１０７は、接眼センサ部１１１および１１４の接眼距離のいずれもが閾値Ｔｈ以上である場合（ＥＶＦ１１０およびＥＶＦ１１３が共に接眼されていない場合）には、ステップＳ３１６に進む。システム制御部１０７は、接眼センサ部１１１および１１４の接眼距離の少なくとも一つが閾値Ｔｈを下回る場合（ＥＶＦ１１０またはＥＶＦ１１３が接眼されている場合）には、ステップＳ３０３に戻る。
【００４８】
ステップＳ３１６において、システム制御部１０７は、タイマ部１０４から接眼センサ部１１１の接眼無検出時間を入力し、接眼センサ部１１１の接眼無検出時間が第１の時間（例えば３０秒）以上であるか否かを判定する。システム制御部１０７は、接眼センサ部１１１の接眼無検出時間が第１の時間以上である場合には、ステップＳ３１７に進み、接眼センサ部１１１の接眼無検出時間が第１の時間以上でない場合には、ステップＳ３１５に戻る。
【００４９】
ステップＳ３１７において、システム制御部１０７は、メモリ部１０８から低輝度設定値を読み出し、低輝度設定値をＥＶＦ１１０の輝度設定値としてＥＶＦ制御部１０６に出力する。ＥＶＦ制御部１０６は、低輝度設定値を基に、ＥＶＦ１１０を低輝度で点灯させる。
【００５０】
ステップＳ３１８において、システム制御部１０７は、タイマ部１０４から接眼センサ部１１１の接眼無検出時間を入力し、接眼センサ部１１１の接眼無検出時間が第１の時間よりも長い第２の時間（例えば３００秒）以上であるか否かを判定する。システム制御部１０７は、接眼センサ部１１１の接眼無検出時間が第２の時間以上である場合には、ステップＳ３１９に進み、接眼センサ部１１１の接眼無検出時間が第２の時間以上でない場合には、ステップＳ３１５に戻る。
【００５１】
ステップＳ３１９において、ＥＶＦ制御部１０６は、システム制御部１０７の制御の下、ＥＶＦ１１０を消灯させる。
【００５２】
以上のように、ステップＳ３１５において、システム制御部１０７は、接眼センサ部１１１の接眼距離が閾値Ｔｈ以上である場合に、接眼センサ部１１４の接眼距離が閾値Ｔｈ以上である場合には、ステップＳ３１６に進む。その場合、システム制御部１０７は、ＥＶＦ１１０の表示パネルの輝度を維持する。そして、システム制御部１０７は、接眼センサ部１１１の接眼無検出時間が第１の時間経過後、ステップＳ３１７において、ＥＶＦ１１０の表示パネルの輝度を低減させる。そして、システム制御部１０７は、接眼センサ部１１１の接眼無検出時間が第２の時間経過後、ステップＳ３１９において、ＥＶＦ１１０を非表示状態にする。
【００５３】
ステップＳ３２０において、システム制御部１０７は、接眼センサ部１１１および１１４の接眼距離の少なくとも一つが閾値Ｔｈを下回るか否かを判定する。システム制御部１０７は、接眼センサ部１１１および１１４の接眼距離のいずれもが閾値Ｔｈ以上である場合（ＥＶＦ１１０およびＥＶＦ１１３が共に接眼されていない場合）には、ステップＳ３２８に進む。システム制御部１０７は、接眼センサ部１１１および１１４の接眼距離の少なくとも一つが閾値Ｔｈを下回る場合（ＥＶＦ１１０またはＥＶＦ１１３が接眼されている場合）には、ステップＳ３０３に戻る。
【００５４】
ステップＳ３０８において、システム制御部１０７は、ステップＳ３０３およびＳ３０６の判定によりＥＶＦ１１０およびＥＶＦ１１３の接眼を検出している。そのため、ＥＶＦ制御部１０６は、システム制御部１０７の制御の下、ＥＶＦ１１０およびＥＶＦ１１３を通常輝度で点灯させる。システム制御部１０７は、タイマ部１０４が測定している接眼センサ部１１１および１１４の接眼無検出時間をリセットし、ステップＳ３２１に進む。以上のように、システム制御部１０７は、接眼センサ部１１１の接眼距離が閾値Ｔｈを下回る場合に、接眼センサ部１１４の接眼距離が閾値Ｔｈを下回る場合には、ＥＶＦ１１０およびＥＶＦ１１３を表示状態にする。
【００５５】
ステップＳ３２１において、システム制御部１０７は、接眼センサ部１１１および１１４の接眼距離の少なくとも一つが閾値Ｔｈを下回るか否かを判定する。システム制御部１０７は、接眼センサ部１１１および１１４の接眼距離のいずれもが閾値Ｔｈ以上である場合（ＥＶＦ１１０およびＥＶＦ１１３が共に接眼されていない場合）には、ステップＳ３２２に進む。システム制御部１０７は、接眼センサ部１１１および１１４の接眼距離の少なくとも一つが閾値Ｔｈを下回る場合（ＥＶＦ１１０またはＥＶＦ１１３が接眼されている場合）には、ステップＳ３０３に戻る。
【００５６】
ステップＳ３２２において、システム制御部１０７は、ステップＳ３２１の判定によりＥＶＦ１１０およびＥＶＦ１１３が共に接眼されていないことを検出している。そのため、ＥＶＦ制御部１０６は、システム制御部１０７の制御の下、第１の表示部１０９の点灯より第２の表示部１１２の点灯を優先させるため、ＥＶＦ１１０を消灯させ、ＥＶＦ１１３の点灯を維持させる。ここで、第１の表示部１０９は、撮像装置１００に内蔵され、第２の表示部１１２は、撮像装置１００に対して着脱可能である。ユーザは、意図して、第２の表示部１１２を撮像装置１００に接続しているので、ＥＶＦ制御部１０６は、第２の表示部１１２のＥＶＦ１１３を優先点灯させる必要がある。
【００５７】
ステップＳ３２３において、システム制御部１０７は、タイマ部１０４から接眼センサ部１１４の接眼無検出時間を入力し、接眼センサ部１１４の接眼無検出時間が第１の時間（例えば３０秒）以上であるか否かを判定する。システム制御部１０７は、接眼センサ部１１４の接眼無検出時間が第１の時間以上である場合には、ステップＳ３２４に進み、接眼センサ部１１４の接眼無検出時間が第１の時間以上でない場合には、ステップＳ３２１に戻る。
【００５８】
ステップＳ３２４において、システム制御部１０７は、メモリ部１０８から低輝度設定値を読み出し、低輝度設定値をＥＶＦ１１３の輝度設定値としてＥＶＦ制御部１０６に出力する。ＥＶＦ制御部１０６は、低輝度設定値を基に、ＥＶＦ１１３を低輝度で点灯させる。
【００５９】
ステップＳ３２５において、システム制御部１０７は、タイマ部１０４から接眼センサ部１１４の接眼無検出時間を入力し、接眼センサ部１１４の接眼無検出時間が第１の時間よりも長い第２の時間（例えば３００秒）以上であるか否かを判定する。システム制御部１０７は、接眼センサ部１１４の接眼無検出時間が第２の時間以上である場合には、ステップＳ３２６に進み、接眼センサ部１１４の接眼無検出時間が第２の時間以上でない場合には、ステップＳ３２１に戻る。
【００６０】
ステップＳ３２６において、ＥＶＦ制御部１０６は、システム制御部１０７の制御の下、ＥＶＦ１１３を消灯させる。
【００６１】
以上のように、ステップＳ３２１において、システム制御部１０７は、接眼センサ部１１１の接眼距離が閾値Ｔｈ以上である場合に、接眼センサ部１１４の接眼距離が閾値Ｔｈ以上である場合には、ステップＳ３２２に進む。ステップＳ３２２において、システム制御部１０７は、ＥＶＦ１１０を非表示状態にすると共にＥＶＦ１１３の表示パネルの輝度を維持する。そして、システム制御部１０７は、接眼センサ部１１４の接眼無検出時間が第１の時間経過後、ステップＳ３２４において、ＥＶＦ１１３の表示パネルの輝度を低減させる。そして、システム制御部１０７は、接眼センサ部１１４の接眼無検出時間が第２の時間経過後、ステップＳ３２６において、ＥＶＦ１１３を非表示状態にする。
【００６２】
ステップＳ３２７において、システム制御部１０７は、接眼センサ部１１１および１１４の接眼距離の少なくとも一つが閾値Ｔｈを下回るか否かを判定する。システム制御部１０７は、接眼センサ部１１１および１１４の接眼距離のいずれもが閾値Ｔｈ以上である場合（ＥＶＦ１１０およびＥＶＦ１１３が共に接眼されていない場合）には、ステップＳ３２８に進む。システム制御部１０７は、接眼センサ部１１１および１１４の接眼距離の少なくとも一つが閾値Ｔｈを下回る場合（ＥＶＦ１１０またはＥＶＦ１１３が接眼されている場合）には、ステップＳ３０３に戻る。
【００６３】
ステップＳ３２８において、システム制御部１０７は、電源スイッチ部１０５がオフにされたか否かを判定する。電源スイッチ部１０５がオフにされた場合、システム制御部１０７は、撮像装置１００を電源オフ状態にする（ステップＳ３２８でＹＥＳ）。電源スイッチ部１０５がオフにされていない場合、システム制御部１０７は、ステップＳ３０３に戻る（ステップＳ３２８でＮＯ）。
【００６４】
以上のように、実施形態１によれば、撮像装置１００は、最後に使用していたＥＶＦ１１０またはＥＶＦ１１３を接眼無検出時間に応じて輝度低下制御または消灯制御を行う。これにより、撮像装置１００は、ＥＶＦ１１０およびＥＶＦ１１３の無駄な電力の消費、焼き付き、および寿命劣化を防ぐことができる。ＥＶＦ１１０またはＥＶＦ１１３が有機ＥＬ表示パネルを有する場合には、ＥＶＦ１１０またはＥＶＦ１１３の輝度劣化を抑制することができる。また、ユーザがＥＶＦ１１０およびＥＶＦ１１３の両方を使用していない場合には、最後に使用していたＥＶＦ１１０またはＥＶＦ１１３は、一定時間、輝度が低下しているだけである。これにより、ユーザは、離れた位置からでも撮像装置１００の起動状態を確認することができる。
【００６５】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態２では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【００６６】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【００６７】
なお、本発明の実施形態は上述の実施形態１または２に限定されるものではない。発明の要旨を逸脱しない範囲で変更または修正された実施形態１または２も本発明の実施形態に含まれる。
【符号の説明】
【００６８】
１００  撮像装置、１０１  撮像部、１０２  デジタル信号処理部、１０３  操作部、１０４  タイマ部、１０５  電源スイッチ部、１０６  ＥＶＦ制御部、１０７  システム制御部、１０８  メモリ部、１０９  第１の表示部、１１０  ＥＶＦ（電子ビューファインダ）、１１１  接眼センサ部、１１２  第２の表示部、１１３  ＥＶＦ（電子ビューファインダ）、１１４  接眼センサ部
【図１】
2019041203.tif 000003
【図２】
2019041203.tif 000004
【図３】
2019041203.tif 000005
【図４】
2019041203.tif 000006